(57)【要約】【課題】浸水を防いでシャワーパイプの動きを円滑に保つことができるシャワーパイプ駆動装置を提供する。【解決手段】洗浄水が噴射されるシャワーパイプ１の外側に備えられた上部レール６１を、この上部レール６１と対面して配置された下部レール６２に沿わせて、シャワーパイプ１を長手方向に往復させるシャワーパイプ駆動装置において、シャワーパイプ１が往復中の最端位置で下部レール６２の全長と対面する長さに上部レール６１を形成する。【選択図】図１７
2015007301.tif 000002
【特許請求の範囲】
【請求項１】
洗浄水が噴射されるシャワーパイプの外側に備えられた第一レール部材を、この第一レール部材と対面して配置された第二レール部材に沿わせて、前記シャワーパイプを長手方向に往復させるシャワーパイプ駆動装置において、
前記第一レール部材が、前記シャワーパイプが往復中の最端位置で前記第二レール部材の全体と対面する大きさに形成された、
ことを特徴とするシャワーパイプ駆動装置。
【請求項２】
前記シャワーパイプの長手方向と交差する方向に前記シャワーパイプを傾斜させるヒンジ部が形成された、
ことを特徴とする請求項１に記載のシャワーパイプ駆動装置。
【請求項３】
前記シャワーパイプが往復する速さおよび範囲が変化する、
ことを特徴とする請求項１または２に記載のシャワーパイプ駆動装置。
【発明の詳細な説明】
【技術分野】
【０００１】
本発明は、例えば抄紙機の網などを洗浄する際に用いられるシャワーパイプ駆動装置に関するものである。
【背景技術】
【０００２】
従来、シャワーパイプ駆動装置は、例えば製紙過程の抄紙に用いられる抄紙機の網、フィルタ、およびフェルト類などが洗浄される際に用いられ、洗浄水が噴射されるシャワーパイプを長手方向に往復させて抄紙機の網などを洗浄するものである。
【０００３】
下記特許文献１の記載によれば、従来のシャワーパイプ駆動装置は、シャワーパイプに取り付けられた第一のベース部材と、球を介して第一のベース部材に対面させた第二のベース部材と、これらが収められた筒状のケース部材とが備えられている。各ベース部材はシャワーパイプの軌道に対応した溝であるガイドレール部が形成され、第二のベース部材に沿って第一のベース部材が移動する際、往復するシャワーパイプの軌道が安定し、動きが円滑になる。さらにケース部材に収められたことにより、洗浄時に飛散した洗浄水による浸水が緩和される。
【先行技術文献】
【特許文献】
【０００４】
【特許文献１】特開２０１１−５２７７３号公報
【発明の概要】
【発明が解決しようとする課題】
【０００５】
しかし、上記した特許文献１に記載されたシャワーパイプ駆動装置は次の課題がある。例えば、シャワーパイプが第一のベース部材と共に往復する際、第二のベース部材に対して第一のベース部材の位置が変化し、対面した第一のベース部材によって遮蔽されていた第二のベース部材のガイドレール部が露出する。また、ケース部材が筒状であるため、その開口部を介して第二のベース部材のガイドレール部が露出する。
【０００６】
このため、第二のベース部材に形成されたガイドレール部は、飛散した洗浄水によって浸水し、ガイドレール部の潤滑油が洗い流される場合や、洗浄水と共に飛散した付着物が詰まる場合がある。この場合、ガイドレール部に沿って回転する球の動きが妨げられ、シャワーパイプの円滑な動きが妨げられる。
【０００７】
本発明は、上記の実情に鑑みて提案されたものである。すなわち、浸水を防いでシャワーパイプの動きを円滑に保つことができるシャワーパイプ駆動装置の提供を目的とする。
【課題を解決するための手段】
【０００８】
上記目的を達成するために、本発明に係るシャワーパイプ駆動装置は、洗浄水が噴射されるシャワーパイプの外側に備えられた第一レール部材を、この第一レール部材と対面して配置された第二レール部材に沿わせて、前記シャワーパイプを長手方向に往復させるシャワーパイプ駆動装置において、前記第一レール部材が、前記シャワーパイプが往復中の最端位置で前記第二レール部材の全体と対面する大きさに形成された、ことを特徴としている。
【０００９】
本発明に係るシャワーパイプ駆動装置は、前記シャワーパイプの長手方向と交差する方向に前記シャワーパイプを傾斜させるヒンジ部が形成された、ことを特徴としている。
【００１０】
本発明に係るシャワーパイプ駆動装置は、前記シャワーパイプが往復する速さおよび範囲が変化する、ことを特徴としている。
【発明の効果】
【００１１】
本発明に係るシャワーパイプ駆動装置は上記した構成である。この構成により、シャワーパイプが第一レール部材と共に往復する際、第二レール部材に対面していた第一レール部材の位置が変化しても、第一レール部材によって第二レール部材が常に遮蔽される。したがって、浸水を防いでシャワーパイプの動きを円滑に保つことができる。
【００１２】
本発明に係るシャワーパイプ駆動装置は、シャワーパイプの長手方向と交差する方向にシャワーパイプを傾斜させるヒンジ部が形成されている。この構成により、シャワーパイプが撓む際、ヒンジ部によってシャワーパイプが撓みに応じて傾斜する。したがって、撓みによる負荷が緩和される。
【００１３】
本発明に係るシャワーパイプ駆動装置は、シャワーパイプが往復する速さおよび範囲が変化する。この構成により、洗浄水の噴射範囲の境界に水縞が発生せず、洗浄水が万遍なく噴射される。したがって、抄紙機の網などを万遍なく洗浄することで延命化することができる。
【図面の簡単な説明】
【００１４】
【図１】本発明の実施形態に係るシャワーパイプ駆動装置の正面図である。
【図２】本発明の実施形態に係るシャワーパイプ駆動装置の平面図である。
【図３】本発明の実施形態に係るシャワーパイプ駆動装置のＡ−Ａ断面側面図である。
【図４】本発明の実施形態に係るシャワーパイプ駆動装置の一部Ｂ−Ｂ断面側面図である。
【図５】本発明の実施形態に係るシャワーパイプ駆動装置の駆動部支持部材であり、（ａ）が平面図、（ｂ）が側面一部断面図、および（ｃ）がＣ−Ｃ断面正面図である。
【図６】本発明の実施形態に係るシャワーパイプ駆動装置を構成する往復駆動装置に用いられるシリンダーカバー部材を示し、（ａ）が平面図、（ｂ）Ｄ−Ｄ断面正面図、および（ｃ）が側面図である。
【図７】本発明の実施形態に係るシャワーパイプ駆動装置の連結部材であり、（ａ）が正面図、（ｂ）が側面図、および（ｃ）が底面図である。
【図８】本発明の実施形態に係るシャワーパイプ駆動装置の本体カバーであり、（ａ）が平面図、（ｂ）が側面図、および（ｃ）がＥ−Ｅ断面正面図である。
【図９】本発明の実施形態に係るシャワーパイプ駆動装置の駆動部材の構成を示す概略構成図である。
【図１０】本発明の実施形態に係るシャワーパイプ駆動装置の第一レール部材であり、（ａ）が正面図、（ｂ）が側面図、および（ｃ）が底面図である。
【図１１】本発明の実施形態に係るシャワーパイプ駆動装置の第二レール部材であり、（ａ）が平面図、（ｂ）が正面図、および（ｃ）が側面図である。
【図１２】本発明の実施形態に係るシャワーパイプ駆動装置の下部レールエンドプレートの側面図である。
【図１３】本発明の実施形態に係るシャワーパイプ駆動装置の上部レールエンドプレートの側面図である。
【図１４】本発明の実施形態に係るシャワーパイプ駆動装置のパイプ支持具であり、（ａ）が正面図、（ｂ）が側面図、および（ｃ）が底面図である。
【図１５】本発明の実施形態に係るシャワーパイプ駆動装置の下部レールガイドであり、（ａ）が正面図、（ｂ）が側面図、および（ｃ）が底面図である。
【図１６】本発明の実施形態に係るシャワーパイプ駆動装置のベースプレートであり、（ａ）が平面図、（ｂ）が正面図、および（ｃ）が側面図である。
【図１７】本発明の実施形態に係るシャワーパイプ駆動装置の要部拡大図であり、（ａ）が前方の最端位置における一部断面正面図であり、（ｂ）が後方の最短位置における一部断面正面図である。
【図１８】本発明の実施形態に係るシャワーパイプ駆動装置の作用を説明する概略斜視図である。
【発明を実施するための形態】
【００１５】
以下に、本発明に係るシャワーパイプ駆動装置の実施形態を図面に基づいて説明する。なお、以下の説明では本発明を理解しやすくするため、図１において往復方向であるシャワーパイプの長手方向を基準として左方を前方とし、右方を後方とする。また往復方向と交差する方向を上方および下方とする。
【００１６】
図１、図２、図３および図４において、本実施形態に係るシャワーパイプ駆動装置１０は、シャワーパイプ１を往復させる往復駆動装置２０、この往復駆動装置２０によって往復させられたシャワーパイプ１の軌道を安定させる往復ガイド装置６０、から構成されている。シャワーパイプ駆動装置１０が取り付けられたシャワーパイプ１は長手の略円筒状であり、側面に複数のノズル部２が長手方向に適当な間隔で形成されている。シャワーパイプ１はノズル部２から洗浄水（図示省略）が噴射される。
【００１７】
はじめに往復駆動装置２０について説明する。
【００１８】
往復駆動装置２０は、シャワーパイプ１と並列して配置されたシリンダー部材２１、このシリンダー部材２１が支持されたシリンダー支持部材３０（図５参照）、から構成されている。往復駆動装置２０は、連結部材としてのパイプホルダー５５（図７参照）を介してシャワーパイプ１の後方（図１右方）側に取り付けられ、全体カバー５３（図８参照）に覆われている。シリンダー部材２１は、駆動部材７０（図９参照）によって駆動する。シリンダー支持部材３０はヒンジ部４０（図５参照）が形成されている。
【００１９】
図５において、シリンダー支持部材３０は空間である通路部３１を空けて対面した一対のヒンジ部支持具３２、通路部３１の上方に配置されてヒンジ部支持具３２に挟まれた筒状のヒンジ部ホルダー３４、から構成されている。ヒンジ部支持具３２は、互いに略直角に連ねられた基板部３６と立板部３７とから略Ｌ字状に形成されている。基板部３６は、略板状に形成されたベースプレート５８（図１６参照）に取り付けられ、一方、立板部３７は、ヒンジ部支持具３２と対面する位置にヒンジ部４０を構成するヒンジ第一開孔部３３が形成されている。ヒンジ部ホルダー３４は、立板部３７と対面する側面にヒンジ部４０を構成するヒンジ第二開孔部３５が形成されている。ヒンジ第一開孔部３３とヒンジ第二開孔部３５とは軸が揃えられている。
【００２０】
ヒンジ部４０は、軸が揃えられた各開孔部３３，３５にピン部材４１が取り付けられて形成されている。ピン部材４１は側面に円周状の環状溝部４２が形成された略円柱状に形成されている。ピン部材４１は環状溝部４２が立板部３７の外側に配置されてヒンジ第一開孔部３３に対して回転自在に通されると共に、ヒンジ部ホルダー３４のヒンジ第二開孔部３５に固定されている。環状溝部４２は板状片部材としてのキープレート４３が嵌合されている。キープレート４３は環状溝部４２に嵌合された状態で立板部３７に取り付けられている。ヒンジ部４０によって、ヒンジ部ホルダー３４がヒンジ部支持具３２に対してピン部材４１を軸に回転する。
【００２１】
図１および図２において、シリンダー部材２１はシリンダー本体部２２とピストン部２３とから構成され、例えば油圧式、空圧式などにより駆動する。シリンダー本体部２２はシリンダー支持部材３０のヒンジ部ホルダー３４に通されて取り付けられると共に（図３参照）、シリンダーカバー部材としてのロッドカバー５０にピストン部２３側が収納されている。ピストン部２３は前方（図１左方）側である先端部にパイプホルダー５５が接続され、このパイプボルダー５５を介してシャワーパイプ１が連結されている。
【００２２】
図６において、ロッドカバー５０は筒状の角柱形であり、全長がシリンダー部材２１の全長よりも短く形成されている（図１参照）。ロッドカバー５０の後方（図６右方）端は開放され、縁に鍔部５１が形成されている。鍔部５１は後方（図６右方）端の縁から側方に向けて突出し、後方（図６右方）端の縁に沿って環状に形成されている。ロッドカバー５０の前方（図６左方）端は閉塞され、ピストン部２３が通されるピストン通し孔部５２が略中央に開孔されている。
【００２３】
図７において、パイプホルダー５５は略板状に形成され、ピストン部２３が接続されるピストン接続孔部５６、シャワーパイプ１が取り付けられるパイプ支持孔部５７、が形成されている。パイプ支持孔部５７は、パイプホルダー５５が二分されたことで略半分に分割されている。二分されたパイプホルダー５５はビスなどが貫通され、連結されている。
【００２４】
図８において、本体カバー５３は下方が開放された角形の箱であり、シリンダー部材２１全体が覆われる長さに全長が形成されている（図１参照）。本体カバー５３の前方（図８左方）端はロッドカバー５０が通されるカバー通し孔部５４が開孔され、下方の縁がシャワーパイプ１の外形に倣って半円状に削り取られている。
【００２５】
図９において、駆動部材７０は、例えばＰＬＣ（Ｐｒｏｇｒａｍｍａｂｌｅ  Ｌｏｇｉｃ  Ｃｏｎｔｒｏｌｌｅｒ）、タッチパネル、スイッチ、ブザー、コントローラー、アクチュエーター、ティーチングボックスなどから構成されている。ティーチングボックスおよびタッチパネルにシリンダー部材の速度やストロークを入力し、ＣＰＵが直結されたＰＬＣからコントローラーに信号を出力する。アクチュエーターはパルスモーター付であり複数のプログラムが実行される。すなわち、シリンダー部材の速度やストロークを任意に変化させ、シャワーパイプ１が往復する速さや範囲を変化させる。
【００２６】
上記した構成から往復駆動装置２０は次のとおり形成される。
【００２７】
図１から図８においてシリンダー部材２１はシリンダー支持部材３０に支持されている。すなわち、シリンダー本体部２２はシリンダー支持部材２１のヒンジ部ホルダー３４に通されて取り付けられ、ロッドカバー５０が前方（図１左方）側から被せられる。ピストン部２３はロッドカバー５０のピストン通し孔部５２に通され、前方（図１左方）側である先端にパイプホルダー５５のピストン接続孔部５６が接続される。パイプホルダー５５はパイプ支持孔部５７にシャワーパイプ１が支持される。シリンダー本体部２２、ロッドカバー５０、およびヒンジ部ホルダー３４は上方から全体カバー５３が被せられる。全体カバー５３はカバー通し孔部５４にピストン部２３がロッドカバー５０と共に通され、ヒンジ部ホルダー３４に固定される。
【００２８】
次に往復ガイド装置６０について説明する。
【００２９】
図３および図４において、往復ガイド装置６０は、シャワーパイプ１の外側に取り付けられた第一レール部材としての上部レール６１、この上部レール６１に沿う第二レール部材としての下部レール６２、から構成されている。往復ガイド装置６０は、シャワーパイプ１の前方（図１左方）側および後方（図１右方）側に取り付けられ、上部レール６１が下部レールガイド６８（図１５参照）を介してパイプ支持具６７（図１４参照）によってシャワーパイプ１に支持され、下部レール６２がベースプレート５８に取り付けられている。
【００３０】
図１０において、上部レール６１は長方形の略板状に形成され、上方の面（表面）がシャワーパイプ１の下方側に対面させられてシャワーパイプ１に取り付けられている（図３および図４参照）。上部レール６１の下方の面（裏面）は線状の複数のレール溝部６３が長手方向に形成され、このレール溝部６３が上部レール６１の幅方向に並列して形成されている。上部レール６１は両端に上部レールエンドプレート６５（図１３参照）が取り付けられ、この上部レールエンドプレート６５によってレール溝部６３の両端が閉塞されている。
【００３１】
図１１において、下部レール６２は長方形の略板状に形成され、上方の面（表面）が上部レール６１の下方の面（裏面）と対面して配置されている（図３および図４参照）。下部レール６２の上方の面（表面）は線状の複数のレール溝部６３が下部レール６２の長手方向に形成され、このレール溝部６３が下部レール６２の幅方向に並列して形成されている。下部レール６２は両端に下部レールエンドプレート６６（図１２参照）が取り付けられ、この下部レールエンドプレート６６によってレール溝部６３の両端が閉塞されている。
【００３２】
図１７において、上部レール６１は全長が、下部レール６２の全長よりも長く形成されると共に、シャワーパイプ１が往復中の最端位置で、下部レール６２の全長と対面する長さに形成されている。ここで最端位置とは、シャワーパイプ１が往復中に停止する位置をいう。すなわち、シャワーパイプ１は往復する範囲において移動方向が逆方向に変わる瞬間、停止することから、その位置を最端位置とし、この最端位置において上部レール６１が下部レール６２の全長と対面する長さに形成されている。
【００３３】
さらに詳説すれば、図１７（ａ）において、前方（図１７左方）に移動したシャワーパイプ１の移動方向が、前方（図１７左方）と逆方向である後方（図１７右方）に変わる瞬間、シャワーパイプ１と共に停止した上部レール６１は、後方（図１７右方）の端が下部レール６２の後方（図１７右方）の端と略揃えられると共に、下部レール６２の全長を覆っている。また、図１７（ｂ）において、後方（図１７右方）に移動したシャワーパイプ１の移動方向が前方（図１７左方）に変わる瞬間、シャワーパイプ１と共に停止した上部レール６１は、前方（図１７左方）の端が下部レール６２の前方（図１７左方）の端と略揃えられると共に、下部レール６２の全長を覆っている。なお、駆動部材７０によってシャワーパイプ１の速度やストロークを変化させる場合、最大ストロークに合わせて各レール６１，６２の長さが設計される。
【００３４】
上部レール６１と下部レール６２との間は緩衝部材としてのローラー６４が配置され、各レール溝部６３に嵌められている。ローラー６４は上部レール６１と下部レール６２との間の摩擦による干渉を軽減するものであるため、例えば円柱状や球体などである。
【００３５】
図１４において、パイプ支持具６７は断面が略Ｕ字の半円状に形成され、湾曲して閉塞された側が上方であり、開放された側が下方である。パイプ支持具６７はシャワーパイプ１に被せられてこのシャワーパイプ１が内側に配置された状態で、下部レールガイド６８を介して下方側に上部レール６１が取り付けられている（図３および図４参照）。
【００３６】
図１５において、下部レールガイド６８は断面が略Ｌ字状に形成され、パイプ支持具６７の下方の内側に取り付けられている（図３および図４参照）。
【００３７】
図３において、往復ガイド装置６０が上記した往復駆動装置２０と共に取り付けられる場合、往復ガイド装置６０はシリンダー支持部材３０の通路部３１に通されて下部レール６２がベースプレート５８に取り付けられる。
【００３８】
以上が本実施形態に係るシャワーパイプ用ガイド装置１０である。次に、このシャワーパイプ用ガイド装置１０の作用を説明する。
【００３９】
図１において、駆動部材７０によりシリンダー部材２１が駆動してピストン部２３が往復すると共に、ピストン部２３の先端に取り付けられたパイプホルダー５５を介してシャワーパイプ１が往復する。詳説すれば、図１７において、シャワーパイプ１に取り付けられた上部レール６１が、ローラー６４を介してシャワーパイプ１と共に下部レール６２に対して水平に移動する。図１７（ａ）において、移動したシャワーパイプ１が前方（図１７左方）の最端位置に達すると共に、移動方向が前方（図１７左方）と逆方向である後方（図１７右方）に変わる瞬間、シャワーパイプ１と共に上部レール６１が停止する。その際、停止した上部レール６１の後方（図１７右方）の端が下部レール６２の後方（図１７右方）の端と略揃えられる。また、図１７（ｂ）において、後方（図１７右方）に移動したシャワーパイプ１が後方（図１７右方）の最端位置に達すると共に移動方向が前方（図１７左方）に変わる瞬間、シャワーパイプ１と共に上部レール６１が停止する。その際、停止した上部レール６１の前方（図１７左方）の端は下部レール６２の前方（図１７左方）の端と略揃えられる。シャワーパイプ１が往復することで、この動作が繰り返され、下部レール６２は上部レール６２によって常に遮蔽される。
【００４０】
図１において、シャワーパイプ１が自重や内側を流通する洗浄水の重量によって撓む場合、またその反動によって上下に振動する場合、パイプホルダー５５によってシャワーパイプ１と連結されたシリンダー部材２１が、ヒンジ部４０によってシャワーパイプ１の撓みに応じて傾斜する。すなわち、シリンダー部材２１はシリンダー本体部２２がシリンダー支持部材３０のヒンジ部ホルダー３４に取り付けられているため、このヒンジ部ホルダー３４と共にヒンジ部支持具３２に対してピン部材４１を軸に回転（傾斜）する。
【００４１】
シャワーパイプ１が往復する際、駆動部材７０によりシリンダー部材２１の速度やストロークが任意に変化し、シャワーパイプ１が往復する速さや範囲が変化する。シャワーパイプ１の動きが変化すると、図１８において、隣接するノズル部２から噴射される洗浄水のそれぞれの噴射範囲の境界に水縞３が発生せず、網４に洗浄水が万遍なく噴射される。
【００４２】
次に、シャワーパイプ用ガイド装置１０の効果を説明する。
【００４３】
上記したとおり本実施形態によれば、図１７において、上部レール６１は全長が、下部レール６２の全長よりも長く形成されると共に、シャワーパイプ１が往復中の最端位置で下部レール６２の全長と対面する長さ形成されている。この構成により、図１７（ａ）において、シャワーパイプ１が前方（図１７左方）の最端位置に達すると共に、シャワーパイプ１と共に上部レール６１が停止し、停止した上部レール６１は後方（図１７右方）の端が下部レール６２の後方（図１７右方）の端と略揃えられると共に、下部レール６２の全長を覆う。また、図１７（ｂ）において、後方（図１７右方）に移動したシャワーパイプ１が後方（図１７右方）の最端位置に達すると共に、シャワーパイプ１と共に上部レール６１が停止し、停止した上部レール６１は前方（図１７左方）の端が下部レール６２の前方（図１７左方）の端と略揃えられると共に、下部レール６２の全長を覆う。したがって、下部レール６２は上部レール６２によって常に遮蔽され、浸水を防いでシャワーパイプ１の動きを円滑に保つことができる。
【００４４】
また、上記構成により下部レール６２は上部レール６２によって常に遮蔽されるため、往復ガイド装置６０をカバーなどに収納する必要がない。
【００４５】
本実施形態によれば、ヒンジ部４０は、軸が揃えられたヒンジ第一開孔部３３とヒンジ第二開孔部３５とにピン部材４１が取り付けられて形成されている。シリンダー本体部２２がシリンダー支持部材３０のヒンジ部ホルダー３４に取り付けられているため、ヒンジ部４０によってシリンダー部材２１はヒンジ部ホルダー３４と共にヒンジ部支持具３２に対してピン部材４１を軸に回転（傾斜）する。この構成により、シャワーパイプ１が自重や内側を流通する洗浄水の重量によって撓む場合、またその反動によって上下に振動する場合、パイプホルダー５５によってシャワーパイプ１と連結されたシリンダー部材２１が、ヒンジ部４０によってシャワーパイプ１の撓みに応じて傾斜する。したがって、撓みによるシリンダー部材２１への負荷が緩和される。
【００４６】
本実施形態によれば、駆動部材７０により、シリンダー部材２１の速度やストロークが任意に変化し、シャワーパイプ１が往復する速さや範囲が変化する。この構成により、図１８において、隣接するノズル部２から噴射される洗浄水のそれぞれの噴射範囲の境界に水縞３が発生せず、網４に洗浄水が万遍なく噴射される。したがって、抄紙機の網などを万遍なく洗浄することで延命化することができる。
【００４７】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４８】
１                  シャワーパイプ
２                  ノズル部
３                  水縞
４                  網
１０                シャワーパイプ駆動装置
２０                往復駆動装置
２１                シリンダー部材
２２                シリンダー本体部
２３                ピストン部
３０                シリンダー支持部材
３１                通路部
３２                ヒンジ部支持具
３３                ヒンジ第一開孔部
３４                ヒンジ部ホルダー
３５                ヒンジ第二開孔部
３６                基板部
３７                立板部
４０                ヒンジ部
４１                ピン部材
４２                環状溝部
４３                キープレート（板状片部材）
５０                ロッドカバー（シリンダーカバー部材）
５１                鍔部
５２                ピストン通し孔部
５３                本体カバー
５４                カバー通し孔部
５５                パイプホルダー（連結部材）
５６                ピストン接続孔部
５７                パイプ支持孔部
５８                ベースプレート
６０                往復ガイド装置
６１                上部レール（第一レール部材）
６２                下部レール（第二レール部材）
６３                レール溝部
６４                ローラー（緩衝部材）
６５                上部レールエンドプレート
６６                下部レールエンドプレート
６７                パイプ支持具
６８                下部レールガイド
７０                駆動部材
【図１】
2015007301.tif 000003
【図２】
2015007301.tif 000004
【図３】
2015007301.tif 000005
【図４】
2015007301.tif 000006
【図５】
2015007301.tif 000007
【図６】
2015007301.tif 000008
【図７】
2015007301.tif 000009
【図８】
2015007301.tif 000010
【図９】
2015007301.tif 000011
【図１０】
2015007301.tif 000012
【図１１】
2015007301.tif 000013
【図１２】
2015007301.tif 000014
【図１３】
2015007301.tif 000015
【図１４】
2015007301.tif 000016
【図１５】
2015007301.tif 000017
【図１６】
2015007301.tif 000018
【図１７】
2015007301.tif 000019
【図１８】
2015007301.tif 000020